(57)【要約】【課題】ダンボール紙の使用枚数を減少させても隣り合う巻き糸の紙管同士を非接触状態にすることができるようにする。【解決手段】紙管１０１の両端部を残して糸１０２を巻き付けたものであって、紙管１０１の両側の端部のそれぞれが露出している巻き糸１００を、その紙管１０１の軸方向に複数並設する際に、隣り合う巻き糸１００の紙管同士が非接触状態に突き合わされるとともに紙管１０１の端の露出部１０１ａ、１０１ｂのその径方向位置を規定する、ダンボール紙からなる巻き糸の離隔部材１において、互いに突き合わされる紙管１０１同士の間に配設されるもので、厚み方向の両面側に各紙管１０１の前記露出部１０１ａ、１０１ｂが入る凹部１ａ、１ｂを有する離隔用ダンボール紙３、４を少なくとも備える。【選択図】図１
2010265008.tif 000002
【特許請求の範囲】
【請求項１】
紙管の両端部を残して糸を巻き付けたものであって、紙管の両側の端部のそれぞれが露出している巻き糸を、その紙管の軸方向に複数並設する際に、隣り合う巻き糸の紙管同士が非接触状態に突き合わされるとともに紙管の端の露出部のその径方向位置を規定する、ダンボール紙からなる巻き糸の離隔部材において、
互いに突き合わされる紙管同士の間に配設されるもので、厚み方向の両面側に各紙管の前記露出部が入る凹部を有する離隔用ダンボール紙を少なくとも備えることを特徴とする巻き糸の離隔部材。
【請求項２】
請求項１に記載の巻き糸の離隔部材において、
前記離隔用ダンボール紙は、片面側に前記凹部を有する一対の第１ダンボール紙を備え、各凹部を外側に向けた状態に前記一対の第１ダンボール紙を重ねて用いられることを特徴とする巻き糸の離隔部材。
【請求項３】
請求項１に記載の巻き糸の離隔部材において、
前記離隔用ダンボール紙は、片面側に前記凹部を有する第１ダンボール紙と、前記露出部が入る貫通孔を有する第２ダンボール紙とを備え、前記凹部を外側に向けるとともにその凹部の位置と前記貫通孔の位置とを揃えた状態に前記第１ダンボール紙及び前記第２ダンボール紙を重ねて用いられることを特徴とする巻き糸の離隔部材。
【請求項４】
請求項２に記載の巻き糸の離隔部材において、
前記巻き糸が前記紙管の軸を鉛直方向にして配置され、かつ、前記離隔用ダンボール紙の上側に、上側の巻き糸の糸の下端に当接しその糸の下端が垂れるのを防止する糸垂れ防止用ダンボール紙が配設されることを特徴とする巻き糸の離隔部材。
【請求項５】
請求項３に記載の巻き糸の離隔部材において、
前記巻き糸が前記紙管の軸を鉛直方向にして配置され、かつ、前記第１ダンボール紙を前記第２ダンボール紙の下側に配し、前記第２ダンボール紙の上側に、上側の巻き糸の糸の下端に当接しその糸の下端が垂れるのを防止する糸垂れ防止用ダンボール紙が配設されることを特徴とする巻き糸の離隔部材。
【請求項６】
請求項４に記載の巻き糸の離隔部材において、
前記糸垂れ防止用ダンボール紙は、同一厚みで所定位置に貫通孔が形成された厚み調整用ダンボール紙を１または２以上で重ねたもので、前記離隔用ダンボール紙の上に配設され、前記離隔用ダンボール紙の上側にある第１ダンボール紙の前記凹部の底面から前記糸垂れ防止用ダンボール紙の上面までの距離が、上側の巻き糸における下側露出部の長さ寸法よりも長くなっていることを特徴とする巻き糸の離隔部材。
【請求項７】
請求項５に記載の巻き糸の離隔部材において、
前記糸垂れ防止用ダンボール紙は、同一厚みで所定位置に貫通孔が形成された厚み調整用ダンボール紙を１または２以上で重ねたもので、前記第２ダンボール紙の上に配設され、前記第２ダンボール紙の下面から前記糸垂れ防止用ダンボール紙の上面までの距離が、上側の巻き糸における下側露出部の長さ寸法よりも長くなっていることを特徴とする巻き糸の離隔部材。
【請求項８】
請求項７に記載の巻き糸の離隔部材において、
前記糸垂れ防止用ダンボール紙は前記厚み調整用ダンボール紙を１枚有し、その糸垂れ防止用ダンボール紙と前記第２ダンボール紙とは、同じ厚みであって、それぞれの厚みをｔとして、  １．５×ｔ＜露出部の長さ寸法＜２×ｔ  を満たし、かつ前記紙管の露出部を入れる貫通孔を同じ位置に有するものであることを特徴とする巻き糸の離隔部材。
【請求項９】
請求項２または３に記載の巻き糸の離隔部材において、
前記離隔用ダンボール紙が貼着されて一体化されていることを特徴とする巻き糸の離隔部材。
【請求項１０】
請求項４乃至８のいずれかに記載の巻き糸の離隔部材において、
前記離隔用ダンボール紙及び前記厚み調整用ダンボール紙が貼着されて一体化されていることを特徴とする巻き糸の離隔部材。
【請求項１１】
請求項１乃至１０のいずれかに記載の巻き糸の離隔部材において、
前記第１ダンボール紙にＷフルートを用いることを特徴とする巻き糸の離隔部材。
【発明の詳細な説明】
【技術分野】
【０００１】
本発明は、紙管の両端部を残して糸を巻き付けた巻き糸を、保管や搬送等すべく箱詰めする場合に、紙管同士を非接触状態に突き合わせるように用いられる巻き糸の離隔部材に関する。
【背景技術】
【０００２】
上述した巻き糸１００は、図７に示すように、紙管１０１の両端部１０１ａ、１０１ｂを残して糸１０２を巻き付けたものであって、紙管１０１の両側の端部１０１ａ、１０１ｂのそれぞれが露出した構成となっている。
【０００３】
この巻き糸を保管、搬送等するための箱詰めは、例えば紙管の軸方向を上下にして複数段に重ねるとともに各段において多数の巻き糸を並べて配し、隣り合う上下段の巻き糸の間に離隔部材を介在させて行われる（例えば、特許文献１等参照）。その離隔部材は、紙管端部が潰れる等の変形を防止し、糸を解く際に糸が変形部に引っ掛かり難くするために、紙管の露出部同士を非接触の離隔した状態に突き合わさせるために用いられる。
【０００４】
具体的には、図８に示すように、例えば同一箇所に紙管１０１に応じた大きさの貫通する円形孔１１１ａをあけた４枚の同じ厚みのダンボール紙１１１を、図９に示すように重ね、その重ねてなる離隔部材１１０の円形孔１１０ａ（円形孔１１１ａが重なったもの）の片方（下側）に隣り合う下側の巻き糸１００の紙管の上側露出部１０１ａを入れ、円形孔１１０ａのもう片方（上側）に上側の巻き糸１００の紙管の下側露出部１０１ｂを入れるようにして使用される。
【０００５】
この使用状態において、紙管の軸方向で隣り合う巻き糸の紙管同士を非接触の離隔した状態にすべく、４枚のダンボール紙１１１の合計厚み寸法は、上側露出部１０１ａの長さ寸法Ｌ１または下側露出部１０１ｂの長さ寸法Ｌ２（図７参照）の２倍よりも少し大きく設定される。
【先行技術文献】
【特許文献】
【０００６】
【特許文献１】登録実用新案第３０２８７３１号
【発明の概要】
【発明が解決しようとする課題】
【０００７】
ところで、近年においてはコストの低減化を図るべくダンボール紙の使用枚数を減少することが検討されているが、ダンボール紙の使用枚数を減少すると、当然のことながら前述したように紙管の軸方向で隣り合う巻き糸の紙管同士を非接触状態で突き合わせることができず、何らかの改善が必要となっていた。
【０００８】
本発明は、このような現状に基づいてなされたものであり、ダンボール紙の使用枚数を減少させても紙管の軸方向で隣り合う巻き糸の紙管同士を非接触状態で突き合わせることができる巻き糸の離隔部材を提供することを目的とする。
【課題を解決するための手段】
【０００９】
本発明の請求項１に係る巻き糸の離隔部材は、紙管の両端部を残して糸を巻き付けたものであって、紙管の両側の端部のそれぞれが露出している巻き糸を、その紙管の軸方向に複数並設する際に、隣り合う巻き糸の紙管同士が非接触状態に突き合わされるとともに紙管の端の露出部のその径方向位置を規定する、ダンボール紙からなる巻き糸の離隔部材において、互いに突き合わされる紙管同士の間に配設されるもので、厚み方向の両面側に各紙管の前記露出部が入る凹部を有する離隔用ダンボール紙を少なくとも備えることを特徴とする。
【００１０】
本発明の請求項２に係る巻き糸の離隔部材は、請求項１に記載の巻き糸の離隔部材において、前記離隔用ダンボール紙は、片面側に前記凹部を有する一対の第１ダンボール紙を備え、各凹部を外側に向けた状態に前記一対の第１ダンボール紙を重ねて用いられることを特徴とする。
【００１１】
本発明の請求項３に係る巻き糸の離隔部材は、請求項１に記載の巻き糸の離隔部材において、前記離隔用ダンボール紙は、片面側に前記凹部を有する第１ダンボール紙と、前記露出部が入る貫通孔を有する第２ダンボール紙とを備え、前記凹部を外側に向けるとともにその凹部の位置と前記貫通孔の位置とを揃えた状態に前記第１ダンボール紙及び前記第２ダンボール紙を重ねて用いられることを特徴とする。
【００１２】
本発明の請求項４に係る巻き糸の離隔部材は、請求項２に記載の巻き糸の離隔部材において、前記巻き糸が前記紙管の軸を鉛直方向にして配置され、かつ、前記離隔用ダンボール紙の上側に、上側の巻き糸の糸の下端に当接しその糸の下端が垂れるのを防止する糸垂れ防止用ダンボール紙が配設されることを特徴とする。
【００１３】
本発明の請求項５に係る巻き糸の離隔部材は、請求項３に記載の巻き糸の離隔部材において、前記巻き糸が前記紙管の軸を鉛直方向にして配置され、かつ、前記第１ダンボール紙を前記第２ダンボール紙の下側に配し、前記第２ダンボール紙の上側に、上側の巻き糸の糸の下端に当接しその糸の下端が垂れるのを防止する糸垂れ防止用ダンボール紙が配設されることを特徴とする。
【００１４】
本発明の請求項６に係る巻き糸の離隔部材は、請求項４に記載の巻き糸の離隔部材において、前記糸垂れ防止用ダンボール紙は、同一厚みで所定位置に貫通孔が形成された厚み調整用ダンボール紙を１または２以上で重ねたもので、前記離隔用ダンボール紙の上に配設され、前記離隔用ダンボール紙の上側にある第１ダンボール紙の前記凹部の底面から前記糸垂れ防止用ダンボール紙の上面までの距離が、上側の巻き糸における下側露出部の長さ寸法よりも長くなっていることを特徴とする。
【００１５】
本発明の請求項７に係る巻き糸の離隔部材は、請求項５に記載の巻き糸の離隔部材において、前記糸垂れ防止用ダンボール紙は、同一厚みで所定位置に貫通孔が形成された厚み調整用ダンボール紙を１または２以上で重ねたもので、前記第２ダンボール紙の上に配設され、前記第２ダンボール紙の下面から前記糸垂れ防止用ダンボール紙の上面までの距離が、上側の巻き糸における下側露出部の長さ寸法よりも長くなっていることを特徴とする。
【００１６】
本発明の請求項８に係る巻き糸の離隔部材は、請求項７に記載の巻き糸の離隔部材において、前記糸垂れ防止用ダンボール紙は前記厚み調整用ダンボール紙を１枚有し、その糸垂れ防止用ダンボール紙と前記第２ダンボール紙とは、同じ厚みであって、それぞれの厚みをｔとして、  １．５×ｔ＜露出部の長さ寸法＜２×ｔ  を満たし、かつ前記紙管の露出部を入れる貫通孔を同じ位置に有するものであることを特徴とする。
【００１７】
本発明の請求項９に係る巻き糸の離隔部材は、請求項２または３に記載の巻き糸の離隔部材において、前記離隔用ダンボール紙が貼着されて一体化されていることを特徴とする。
【００１８】
本発明の請求項１０に係る巻き糸の離隔部材は、請求項４乃至８のいずれかに記載の巻き糸の離隔部材において、前記離隔用ダンボール紙及び前記厚み調整用ダンボール紙が貼着されて一体化されていることを特徴とする。
【００１９】
本発明の請求項１１に係る巻き糸の離隔部材は、請求項１乃至１０のいずれかに記載の巻き糸の離隔部材において、前記第１ダンボール紙にＷフルートを用いることを特徴とする。
【発明の効果】
【００２０】
本発明による場合には、紙管の軸方向に並設された２つの巻き糸の間に、離隔用ダンボール紙に設けた前記凹部の底部が介在するので、紙管の軸方向で隣り合う巻き糸の紙管同士を非接触状態で突き合わせることができ、これによりダンボール紙を４枚から１枚に減少させることが可能である。また、離隔用ダンボール紙の両面に紙管露出部が入る凹部が形成されているので、紙管の軸方向で隣り合う巻き糸の位置を規定することができる。
【００２１】
請求項２、３の発明による場合にも、離隔用ダンボール紙を２枚のダンボール紙で構成することができる。
【００２２】
請求項４の発明による場合には、紙管の軸を鉛直方向にして巻き糸を配置した場合であっても、離隔用ダンボール紙の上側に糸垂れ防止用ダンボール紙を配設しているので、離隔用ダンボール紙の上側の巻き糸の糸の下端が垂れるのを防止することができる。第１ダンボール紙を第２ダンボール紙の下側に配した請求項５の離隔用ダンボール紙にあっても、前同様である。
【００２３】
請求項６および７のように、離隔用ダンボール紙より上側の巻き糸の下側露出部が入る穴の深さ寸法（請求項６では第１ダンボール紙の凹部の底面から糸垂れ防止用ダンボール紙の上面までの距離、請求項７では第２ダンボール紙の下面から糸垂れ防止用ダンボール紙の上面までの距離）が、前記下側露出部の長さ寸法よりも長いので、糸垂れ防止用ダンボール紙の上面が、その上側巻き糸の糸の下端が垂れないように保持することになる。
【００２４】
請求項８の発明による場合には、糸垂れ防止用ダンボール紙と第２ダンボール紙の貫通孔に、その上側の巻き糸の下側の露出部が入る。このとき、最も上段の糸垂れ防止用ダンボール紙が、その上側の巻き糸の下端の糸に当接するので、糸垂れ防止用ダンボール紙がその上側の巻き糸の糸の垂れを防止する。
【００２５】
請求項９または１０の発明による場合には、離隔用ダンボール紙が一体化された構成または、離隔用ダンボール紙および厚み調整用ダンボール紙が一体化された構成であるので、取扱いが容易である。
【００２６】
請求項１１の発明による場合には、第１ダンボール紙にＷフルートを用いるので、１枚当たりの厚みを厚くすることができ、使用するダンボール紙の枚数を減らすことが可能になるため、コストの低廉化を図ることができる。
【図面の簡単な説明】
【００２７】
【図１】本発明の一実施形態に係る巻き糸の離隔部材を示す正面図である。
【図２】図１に示す離隔部材の詳細を示す正面断面図である。
【図３】図１に示す離隔部材の分解図である。
【図４】本発明の他の実施形態に係る巻き糸の離隔部材に用いる離隔用ダンボール紙を示す正面断面図である。
【図５】本発明の更に他の実施形態に係る巻き糸の離隔部材に用いる離隔用ダンボール紙を示す正面断面図である。
【図６】図５の離隔用ダンボール紙の上に糸垂れ防止用ダンボール紙を配設した状態を示す正面断面図である。
【図７】巻き糸を示す正面図である。
【図８】従来の離隔部材を示す分解図である。
【図９】従来の離隔部材を示す正面図である。
【発明を実施するための形態】
【００２８】
以下に、本発明の実施形態を具体的に説明する。
【００２９】
図１は本発明の一実施形態に係る巻き糸の離隔部材を示す正面図であり、図２は図１に示す離隔部材の詳細を示す正面断面図、図３はその離隔部材の分解図である。
【００３０】
この離隔部材１は、巻き糸１００の紙管１０１を上下方向に向けて複数の巻き糸１００を並設する際に用いられ、上下方向に隣り合う巻き糸１００の紙管１０１同士が非接触状態に突き合わされるとともに紙管１０１の上端の露出部１０１ａ及び下端の露出部１０１ｂのその径方向位置を規定するものである。また、この離隔部材１は、３つのダンボール紙２、３、４を貼着して一体化したものであり、下側に第１凹部１ａが形成され、一方上側に第２凹部１ｂが第１凹部１ａと同じ位置に形成されている。下側の２つのダンボール紙３、４は離隔用ダンボール紙を構成し、最上位のダンボール紙２は糸垂れ防止用ダンボール紙を構成する。
【００３１】
第２凹部１ｂは、上側２つのダンボール紙２、３に形成された貫通孔２ａ、３ａの底が最下位のダンボール紙４の上面で塞がれたものであり、貫通孔２ａ、３ａは同じ位置に配されている。一方、第１凹部１ａはＷフルートからなるダンボール紙４の下部に、上向きに窪ませて形成した凹部４ａにより構成されたものである。ここで、離隔用ダンボール紙を構成する下側のダンボール紙４は第１ダンボール紙として用いられ、その上のダンボール紙３は離隔用ダンボール紙を構成する第２ダンボール紙として用いられている。
【００３２】
上記凹部４ａは、例えば図２に示すように下側ライナー４ｂから、これと上側ライナー４ｃとの間の中間ライナー４ｄの手前までを対象として円形の切り目を入れ、その円形部分を潰して形成されている。
【００３３】
ダンボール紙２、３は、共にＡフルートまたはＢフルートであって、紙管１０１の下側の露出部１０１ｂに対し、下記（１）式を満たす厚みｔのものを使用している。この（１）式は、同じ厚みのダンボール紙２（または３）を３枚用いると上側の露出部１０１ａと下側の露出部１０１ｂが接触し、４枚用いると上側の露出部１０１ａと下側の露出部１０１ｂとを非接触にすることができるような厚みｔが得られる条件を表した式である。このような厚みｔのダンボール紙２、３を用いる場合は、第２ダンボール紙３の下面から糸垂れ防止用ダンボール紙２の上面までの距離（深さ）Ｄ１を下側の露出部１０１ｂの長さ寸法Ｌ２よりも長くできる。
【００３４】
なお、ここで、下側の露出部１０１ｂに対して長さを規定するのは、下側の露出部１０１ｂの長さ寸法Ｌ２と、上側の露出部１０１ａの長さ寸法Ｌ１とは互いに異なることがあるからである。但し、寸法Ｌ２と寸法Ｌ１とを同一にすることができる場合には、上側の露出部１０１ａに対して、下記（１）式を満たす厚みｔのものを使用してもよい。
【００３５】
[数１]  １．５×ｔ＜下側の露出部の長さ寸法Ｌ２＜２×ｔ  ・・・（１）
【００３６】
最下位のダンボール紙４は、その上側の２つのダンボール紙２、３の厚みｔよりも厚く、上側の露出部１０１ａの長さ寸法Ｌ１よりも薄いものを使用している。
【００３７】
上記糸垂れ防止用ダンボール紙２は、本実施形態では１枚のダンボール紙を用いているが、上側の巻き糸１００の下端の糸１０２に、糸垂れ防止用ダンボール紙２の上面が当接して糸垂れを防止することを要するため、複数枚の厚み調整用ダンボール紙を予め用意しておき、上側の巻き糸１００における下側の露出部１０１ｂの長さ寸法Ｌ２に応じて、前記厚み調整用ダンボール紙の使用枚数を可変する構成としてもよいが、ダンボール紙の枚数を削減してコストの低廉化を図る上で、下側の露出部１０１ｂの長さ寸法Ｌ２の最大値に対応する厚みを有する１枚の厚み調整用ダンボール紙で対処することが好ましい。
【００３８】
次に、このように構成された本実施形態に係る離隔部材１を用いて巻き糸１００を箱詰め作業につき説明する。なお、この箱詰めに際し、巻き糸１００は、糸１０２の端を上側の露出部１０１ａの端面に係止したものとして、上下方向を揃えている。また、上下方向の各段において１２個の巻き糸１００を配置する場合を例に挙げて述べる。
【００３９】
まず、箱の底にダンボール紙２、３と同じものを２枚敷く。その上に、この例では１２個の巻き糸１００における紙管１０１の下側の露出部１０１ｂを、２枚重ねの第１のダンボール紙２、３の貫通孔２ａ、３ａに入れる。
【００４０】
続いて、その巻き糸１００の上に本実施形態に係る離隔部材１を載せる。このとき、各巻き糸１００における紙管１０１の上側の露出部１０１ａを、離隔部材１の第１凹部１ａに入れて、露出部１０１ａの径方向位置を規制する。
【００４１】
続いて、その離隔部材１の上に１２個の巻き糸１００を載せる。このとき、当該離隔部材１の下側の１２個の巻き糸１００と紙管１０１の軸方向を一致させて、つまり紙管１０１の軸を上下方向に一致させて巻き糸１００を載せるとともに、その載せた巻き糸１００における紙管１０１の下側の露出部１０１ｂを離隔部材１の第２凹部１ｂに入れる。露出部１０１ｂを第２凹部１ｂに入れることで、露出部１０１ｂの径方向位置を規制する。なお、離隔部材１の凹部１ａの底部は、箱詰め前の図２に示す状態から、箱詰めにより図１に示すように圧縮されて潰れた状態になる。
【００４２】
以上のことを繰り返し、所定段で巻き糸１００を積み重ねる。そして最後に、ダンボール紙４と同じものを、凹部４ａを下向きにして１枚敷き、その凹部４ａに巻き糸１００の上側露出部１０１ａを入れ、箱を閉じる。なお、各段において１２個の巻き糸１００を配置しているが、１２個に限らない。
【００４３】
したがって、本実施形態による場合には、以下のような効果を奏する。
（１）本実施形態による場合には、紙管１０１の方向に並設された２つの巻き糸１００の間に、ダンボール紙４に設けた第１凹部１ａ（または４ａ）の底部が介在するので、隣り合う巻き糸１００の紙管１０１同士を非接触状態にすることができる。また、ダンボール紙を４枚から３枚に減少させることが可能である。更に、ダンボール紙２、３、４が一体化されているので、取扱いが容易である。
（２）本実施形態による場合には、上段の２つのダンボール紙２、３における第２凹部１ｂに、その上側の巻き糸１００の下側の露出部１０１ｂが入る。このとき、最上位の糸垂れ防止用ダンボール紙２が、その上側の巻き糸１００の下端の糸１０２に当接するので、糸垂れ防止用ダンボール紙２がその上側の巻き糸１００の糸１０２の垂れを防止する。なお、前記糸１０２としては、本実施形態ではエアバックを縫製するための糸が該当する。
（３）本実施形態による場合には、ダンボール紙４にＷフルートを用いるので、１枚でも厚みを厚くすることができ、コストの低廉化を図ることができる。
【００４４】
なお、上述した実施形態においては、ダンボール紙４は上側の露出部１０１ａの長さ寸法Ｌ１よりも薄いものを使用しているが、本発明はこれに限らず、上側の露出部１０１ａの長さ寸法Ｌ１と同等以上のものを使用してもよい。
【００４５】
また、上述した実施形態においては、３つのダンボール紙２、３、４を貼着して一体化したものを使用しているが、本発明はこれに限らず、３つのダンボール紙２、３、４が別々に分離したものを組み合わせて使用しても実施できることは勿論である。
【００４６】
更に、上述した実施形態ではダンボール紙２、３としてＡフルートまたはＢフルートを用いているが、Ｗフルートを用いてもよい。また、上述した実施形態ではダンボール紙４としてＷフルートを用いているが、ＡフルートまたはＢフルートを用いてもよい。
【００４７】
更にまた、上述した実施形態では離隔用ダンボール紙の第１ダンボール紙４を下側、第２ダンボール紙３を上側に配した構成としているが、本発明はこれとは逆に、第１ダンボール紙４を上側、第２ダンボール紙３を下側に配した構成としてもよい。
【００４８】
更にまた、本発明は他の形態を採用することができる。
【００４９】
例えば、離隔用ダンボール紙として、図４に示すように１枚のダンボール紙５の両面に凹部５ａ、５ｂを互いに逆向きに形成したものを用いることができる。或いは、図５に示すように、片面側に凹部４ａが形成された第１ダンボール紙４を１対用い、これら両ダンボール紙４を、各凹部４ａを外側に向けて重ねた状態にしたものを用いることもできる。なお、図５に示す構成の場合において、離隔用ダンボール紙の上に糸垂れ防止用ダンボール紙２を配設するときは、図６に示すように離隔用ダンボール紙を構成する上側のダンボール紙４の上側に開口した凹部４ａの底面から糸垂れ防止用ダンボール紙２の上面までの距離（深さ）Ｄ２を前記Ｄ１と同様に調整する。
【符号の説明】
【００５０】
１    離隔部材
１ａ    第１凹部
１ｂ    第２凹部
２    ダンボール紙（糸垂れ防止用ダンボール紙）
３    ダンボール紙（離隔用ダンボール紙：第２ダンボール紙）
４    ダンボール紙（離隔用ダンボール紙：第１ダンボール紙）
１００    巻き糸
１０１    紙管
１０１ａ    上端の露出部
１０１ｂ    下端の露出部
【図１】
2010265008.tif 000003
【図２】
2010265008.tif 000004
【図３】
2010265008.tif 000005
【図４】
2010265008.tif 000006
【図５】
2010265008.tif 000007
【図６】
2010265008.tif 000008
【図７】
2010265008.tif 000009
【図８】
2010265008.tif 000010
【図９】
2010265008.tif 000011